(57)【特許請求の範囲】
【請求項１】
複数の外壁材を跨って印刷塗装により絵柄が設けられた外壁を形成する外壁材であって、前記絵柄は、線図、又は輪郭線で囲まれた内部を塗り潰した絵柄であり、前記絵柄の輪郭が波形状に形成されていることを特徴とする外壁材。
【請求項２】
複数の外壁材を跨って印刷塗装により絵柄が設けられた外壁を形成する外壁材であって、前記絵柄は、線図、又は輪郭線で囲まれた内部を塗り潰した絵柄であり、前記絵柄に、絵柄を分断する直線状の分断部が複数設けられていることを特徴とする外壁材。
【請求項３】
複数の外壁材を跨って印刷塗装により絵柄が設けられた外壁を形成する外壁材であって、前記絵柄は、線図、又は輪郭線で囲まれた内部を塗り潰した絵柄であり、前記絵柄の輪郭が点で形成されていることを特徴とする外壁材。
【請求項４】
複数の外壁材を跨って印刷塗装により絵柄が設けられた外壁を形成する外壁材であって、前記絵柄は、線図、又は輪郭線で囲まれた内部を塗り潰した絵柄であり、前記絵柄の輪郭が徐々にベース色に近くなるように形成されていることを特徴とする外壁材。
【発明の詳細な説明】
【技術分野】
【０００１】
本発明は、複数の外壁材を跨って絵柄が設けられた外壁を形成する外壁材に関する。
【背景技術】
【０００２】
印刷塗装などにより絵柄の一部が設けられた外壁材を複数壁下地に取り付けて、外壁全体又はその一部領域においてまとまった絵柄を形成する外壁の技術が知られている（例えば特許文献１）。
【先行技術文献】
【特許文献】
【０００３】
【特許文献１】特開２００５−２２６２６７号公報
【発明の概要】
【発明が解決しようとする課題】
【０００４】
しかし、実際には、隣り合う外壁材を絵柄を合わせて取り付けても、外壁材の寸法精度の誤差や、施工時の取り付け誤差などによって接合する部分がずれやすく、絵柄が途切れて不連続になったり、絵柄の輪郭がずれたりすることが多い。また、印刷などで絵柄を付与する場合、印刷の精度誤差により絵柄を形成する位置にずれが発生する場合もある。そのため、外壁材を二枚以上合わせて一つの絵柄にするような外壁材は実用化されていないのが現状である。
【０００５】
特許文献１では、外壁材同士が隣接する部分における印刷の解像度を低下させることにより、ズレを目立たなくさせている。
【０００６】
しかしながら、外壁材に絵柄を印刷する際に、端部だけ解像度を低下させて印刷することは容易ではなく、また印刷設定に手間がかかる。また、各外壁材の端部において低解像度の領域ができるため、絵柄に不自然さが与えられるおそれがある。また、解像度を低下しただけでは目立たなくさせることができない誤差が発生する場合もある。そして、印刷時の解像度の調整により目立たなくさせるようにしているため、印刷自体にずれが発生した場合、絵柄のずれを吸収して目立たなくさせることができない。
【０００７】
図１１及び図１２により、絵柄２のズレを具体的に説明する。
【０００８】
図１２に示すように、外壁材１が取り付けられた従来の外壁にあっては、外壁材１の絵柄２がずれることがある。すなわち、隣り合う外壁材１を絵柄２を合わせて取り付けても、製板や加工時における外壁材１の寸法精度の誤差や、外壁材１の施工時の取り付け誤差などによって接合する部分がずれやすく、絵柄２が途切れて不連続になったり、絵柄２の輪郭がずれたりする。また、印刷や塗装などで絵柄２を付与する場合、印刷や塗装の生産精度の誤差により絵柄２を形成する位置にずれが発生する場合もある。
【０００９】
この寸法のズレは、長辺が３０００ｍｍ程度の外壁材１を用いた場合、長手方向（水平方向）には、±２〜３ｍｍ程度におよび、隣り合う外壁材１同士のズレは最大６ｍｍになる。また、垂直方向の寸法ズレは、短辺が幅５００ｍｍ程度の外壁材１を用いた場合、±１ｍｍ程度におよび、隣り合う外壁材１同士のズレは最大２ｍｍになる。このズレにより、絵柄２の輪郭が不連続になったりするのである。
【００１０】
ここで、絵柄２のズレが視覚的に目立つ理由と、絵柄２のズレが問題となる状況とを説明する。絵柄２の連続する輪郭線または輪郭色が途中で、途切れたり、合致しなかったり、太さが変わったり、不自然に線が終わったりするなどした場合、人は視覚的な違和感や不快感を感じる。そして、絵柄２のズレにより、絵柄２が持つ本来の付加価値やメッセージが損なわれることがある。例えば、絵柄２が、ブランド性や芸術性のあるマーク、キャラクターやアート、高級感のあるタイルや、木などの素材を表現したような場合である。また、それだけでなく、絵柄２にズレがあると、未完成品や不完全品との印象を与えてしまうことになり、欠陥品となってしまうおそれがある。
【００１１】
図１１（ａ）は、線図によって描かれた複数の絵柄２を設けた外壁材１の様子を示している。絵柄２として、輪郭線３により星２１、円２２、四角２３の線図が設けられている。図１１（ｂ）及び（ｃ）は、図１１（ａ）の領域Ｘの拡大図である。従来の外壁材１では、絵柄２が設けられた二枚の外壁材１同士が水平方向にずれたり垂直方向にずれたりして、水平方向及び垂直方向に絵柄２がずれることになる。このズレは、絵柄２が跨る外壁材１同士が隣接したときに壁表面に露出する外壁材１の端縁の線（隣接線Ｌ）で表れる。
【００１２】
図１１（ｂ）は、水平方向（横方向）に絵柄２がずれた外壁材１，１の隣接部分の様子を示している。上下で連続する絵柄２を有する外壁材１，１を張り上げたときに、生産精度や施工精度の影響によって、外壁材１，１が水平方向（左右）にずれて、絵柄２も水平方向にずれることがある。この図では、上側の外壁材１が左にずれ、下側の外壁材１が右にずれている。そして、輪郭線３の幅よりも上下の外壁材のズレ幅が大きいため、輪郭線３が上下で連続している部分がなく、ズレがより一層目立っている。
【００１３】
図１１（ｃ）は、垂直方向（縦方向）に絵柄２がずれた外壁材１，１の隣接部分の様子を示している。絵柄２のズレは、左右のズレだけではなく、垂直方向にも発生する可能性がある。この図では、上側の外壁材１が上にずれ、下側の外壁材１が下にずれている。このように上下の外壁材１でずれが発生すると、図１１（ｃ）の左側の輪郭線３のように、輪郭線３が外壁材１の重ね合わせ領域まで延長されていたとしても、上下の外壁材１同士で輪郭線３が左右にずれて繋がらず、絵柄２にズレが発生するおそれがある。また、図１１（ｃ）の右側の輪郭線３のように、輪郭線３が外壁材１の重ね合わせ領域に設けられていないと、上下の外壁材１同士で輪郭線３が不連続になって繋がらず、絵柄２にトギレが発生するおそれがある。
【００１４】
図１１（ｄ）は、外壁材１の上下方向のズレによる絵柄２のズレの発生を説明する図である。この外壁材１では、基準線Ｌｂにて上下の外壁材１同士が隣接するように設計されている。理想的には、基準線Ｌｂは隣接線Ｌと一致する。例えば、上側の外壁材１を下側の外壁材１の表面に重ねて取り付ける構造の場合、上側の外壁材１の下端部の端縁が基準線Ｌｂとなるように設計されている。基準線Ｌｂは、いわゆる狙い値となる。ここで、外壁材１の垂直方向のバラツキなどにより、上側の外壁材１が、基準線Ｌｂとなることを予定していた下端部の端縁が上限線Ｌｕの位置になって配置され、下側の外壁材１が、基準線Ｌｂの位置になることを予定していた水平方向の線が下限線Ｌｄの位置になって配置されるおそれがある。このように、上下で離れる方向に外壁材１が接合されると、輪郭線３が不連続となって絵柄２のズレが大きく発生するのである。
【００１５】
図１２は、上記のようにして外壁材１がずれることによって、星２１の絵柄２がずれた様子を示している。このように、複数の外壁材１に跨った絵柄２がずれた場合に、絵柄２のズレを強く感じるのは、繋がるはずの絵柄２の輪郭線３が外壁材１同士で完全に一致しない場合である。すなわち、外壁材１同士のズレが、輪郭線３の太さ（幅）を超え、輪郭線３同士が外壁材１間で接続する部分を有さない場合である。特に、輪郭線３が３〜６ｍｍ程度の場合、輪郭線３が細く、輪郭線３の幅が外壁材１のずれる量よりも小さくなるおそれがあり、ズレが一層目立つことになる。
【００１６】
本発明は、上記の点に鑑みてなされたものであり、複数の外壁材に跨って絵柄が設けられた外壁を形成するにあたって、絵柄の不連続やズレを目立たなくして、外観のよい外壁を形成する外壁材を提供することを目的とする。
【課題を解決するための手段】
【００１７】
上記課題を解決するために、本発明は以下の構成を備える。
【００１８】
第一の発明は、複数の外壁材を跨って印刷塗装により絵柄が設けられた外壁を形成する外壁材であって、前記絵柄は、線図、又は輪郭線で囲まれた内部を塗り潰した絵柄であり、前記絵柄の輪郭が波形状に形成されていることを特徴とする外壁材である。
【００１９】
第二の発明は、複数の外壁材を跨って印刷塗装により絵柄が設けられた外壁を形成する外壁材であって、前記絵柄は、線図、又は輪郭線で囲まれた内部を塗り潰した絵柄であり、前記絵柄に、絵柄を分断する直線状の分断部が複数設けられていることを特徴とする外壁材である。
【００２０】
第三の発明は、複数の外壁材を跨って印刷塗装により絵柄が設けられた外壁を形成する外壁材であって、前記絵柄は、線図、又は輪郭線で囲まれた内部を塗り潰した絵柄であり、前記絵柄の輪郭が点で形成されていることを特徴とする外壁材である。
【００２１】
第四の発明は、複数の外壁材を跨って印刷塗装により絵柄が設けられた外壁を形成する外壁材であって、前記絵柄は、線図、又は輪郭線で囲まれた内部を塗り潰した絵柄であり、前記絵柄の輪郭が徐々にベース色に近くなるように形成されていることを特徴とする外壁材である。
【発明の効果】
【００２２】
本発明によれば、複数の外壁材を跨って絵柄が設けられた外壁を形成するにあたって、隣り合う外壁材間での絵柄の不連続やズレを目立たなくして、外観のよい外壁を形成することができる。
【図面の簡単な説明】
【００２３】
【図１】本発明の外壁材の実施の形態の一例を示す図であり、（ａ）は正面図、（ｂ）は一部拡大図である。
【図２】本発明の外壁材の実施の形態の他の一例を示す図であり、（ａ）は正面図、（ｂ）は一部拡大図である。
【図３】（ａ）及び（ｂ）はそれぞれ、本発明の外壁材の実施の形態の他の一例を示す正面図である。
【図４】（ａ）及び（ｂ）はそれぞれ、本発明の外壁材の実施の形態の他の一例を示す正面図である。
【図５】本発明の外壁材の実施の形態の他の一例を示す図であり、（ａ）は正面図、（ｂ）及び（ｃ）は一部拡大図である。
【図６】（ａ）〜（ｄ）は、本発明の外壁材の実施の形態の他の一例を示す図であり、（ａ）は正面図、（ｂ）（ｃ）（ｄ）は一部拡大図である。（ｅ）は、前記外壁材を説明する参考図である。
【図７】（ａ）及び（ｂ）はそれぞれ、外壁材の他の一例を示す概略斜視図である。
【図８】（ａ）及び（ｂ）はそれぞれ、外壁材の他の一例を示す概略斜視図である。
【図９】外壁材の他の一例を示す概略斜視図である。
【図１０】外壁材の他の一例を示す概略斜視図である。
【図１１】従来の外壁材を説明する図であり、（ａ）は正面図、（ｂ）（ｃ）（ｄ）は一部拡大図である。
【図１２】従来の外壁材を説明する正面図である。
【発明を実施するための形態】
【００２４】
図１に、外壁材１によって形成した外壁の一例を示す。図１では、外壁材１が二枚縦に並べられて外壁の一部が形成されている。
【００２５】
外壁材１は、建築用パネルなどによって構成されるものであり、複数の外壁材１を壁下地に敷き詰めるように取り付けて外壁を形成するものである。外壁材１としては、正面視略矩形状のものを用いることができる。例えば、長辺１８２０〜３５００ｍｍ、短辺４５５〜１０００ｍｍの矩形状のものを、長辺を横にして横張りにしたり、長辺を縦にして縦張りにしたりすることができる。また、外壁材同士は、端部同士を突き合わせたり、端部同士を重ね合わせたりして取り付けることができる。具体的には、上下又は左右の端部の二辺で外壁材同士が重ね合って接合する二辺合抉や、上下左右の端部四辺で外壁材同士が重なり合って接合する四辺合抉などのものを用いることができる。外壁材同士が重なり合う場合、長辺同士（短辺方向の端部）を重ね合わせることができ、その場合、働き幅を４５５〜１０００ｍｍ程度にすることができる。働き幅とは、複数の外壁材１を重ね合わせて外壁を形成したときに、一つの外壁材１が外壁として露出する重ね合わせ方向の長さのことである。すなわち、働き幅は、外壁材１の重ね合わせ方向の取り付けピッチに略等しい。そして、絵柄２以外は同一形状の外壁材１を複数用いて外壁を形成するものである。
【００２６】
外壁材１の材料としては、窯業系パネル、金属製パネルなど適宜の材料を用いることができる。
【００２７】
外壁材１の取付構造として、以下、長手方向を横にし、水平方向（長手方向）の長さが３０３０ｍｍ、垂直方向の働き幅が４５５ｍｍの外壁材１を、縦方向に重ね合わせて取り付けた横張り構造の例を示す。ただし、本発明はこれに限られるものではない。
【００２８】
外壁材１が取り付けられた外壁にあっては、絵柄２が隣り合う外壁材１を跨って設けられている。この絵柄２は、複数の外壁材１を跨って一つの形状をなすものである。図１では、二枚の外壁材１，１を跨って絵柄２が設けられているが、絵柄２が三枚以上を跨っていてもよい。また、絵柄２が、縦方向（上下方向）と横方向（水平方向）との複数の外壁材１に跨って設けられていてもよい。
【００２９】
絵柄２は、印刷塗装により設けられてもよいし、表面の凹凸形状で設けられてもよい。
【００３０】
印刷塗装により絵柄２を設ける場合、フルカラーセラジェットなどのＣＭＹＫインクを組み合わせた印刷塗装、インクノズルを有する塗装、凹版又は凸版印刷塗装、あらかじめプリントした印刷フィルムを外壁材１の表面に貼り付ける塗装、などの方法で設けることができる。
【００３１】
表面に凹凸形状を形成して絵柄２を設ける場合、製板時又は成型時に壁面表面にプレスあるいはロールにて模様付けすることができる。また、表面にルーターなどの刃物加工を施してもよい。
【００３２】
外壁に設けられる絵柄２として、以下、線図の絵柄２が設けられた例を挙げ、その一例として、星２１、円２２、四角２３が設けられた例を示す。ただし、本発明はこれに限られるものではない。例えば、柄、絵、模様、マーク、キャラクターなどの絵柄２でもよく、またこのような絵柄２に輪郭線や輪郭が付されてこの中心の絵柄２を強調するような絵柄２であってもよい。
【００３３】
絵柄２としては、例えば、縦方向（高さ方向）の長さが６００〜８００ｍｍで、輪郭線３の太さを２〜６ｍｍにすることができる。
【００３４】
図１の形態では、絵柄２の輪郭が波形状に形成されている。すなわち、輪郭線３の端縁が絵柄２の外側と内側に向かって細かくランダムに出入しており、輪郭線３が細かいギザギザ状又はガタガタ状になっている。それにより、上下の外壁材１の水平方向のズレ量は、図１２の場合と同程度であるにもかかわらず、絵柄２のズレを目立ちにくくすることができる。この波形状の輪郭は、隣り合う外壁材１の境界（隣接線Ｌ近傍）において少なくとも設けられるが、より自然な絵柄２にするために、好ましくは絵柄２の輪郭全体に設けられる。
【００３５】
図１（ｂ）は、領域Ｓに表された星２１を拡大した図である。図１（ｂ）に示すように、このような波形は、方向の揃ったランダムな長さの直線（スジ状線４）をランダムに複数配置して輪郭線３を描くことにより形成することができる。又は、輪郭線３から、方向の揃ったランダムな長さの間引き線４ａをランダムに複数配置することによって形成してもよい。なお、間引き線４ａとは、外壁材１のベース色（絵柄２が設けられていない領域の色）の直線であり、輪郭線３を塗装又は印刷しないようにして設けてもよいし、ベース色と同色又は近似色を塗装又は印刷して設けてもよい。この図では、スジ状線４が多数集まって黒い領域として表され、間引き線４ａがスジ状線４（黒い領域）に接した白い領域として表されている。そして、上記の手法を併用し、ランダムな長さの直線であるスジ状線４をランダムに配置して輪郭線３を描き、かつ、輪郭線３から、ランダムな長さの間引き線４ａをランダムに配置することが好ましい。これらのスジ状線４又は間引き線４ａにより、絵柄２のズレを目立ちにくくさせるものである。
【００３６】
この輪郭線３を形成するためのスジ状線４又は間引き線４ａは、絵柄２が跨る外壁材１同士が隣接し壁表面に露出する外壁材１の端縁の線（隣接線Ｌ）と平行であることが好ましい。すなわち、図１の形態においては、縦方向に絵柄２が跨って外壁材１が取り付けらており、外壁材１の隣接線Ｌは水平方向となるため、輪郭線３を形成するためのスジ状線４、又は間引き線４ａは水平方向の直線となることが好ましいのである。それにより、輪郭線３が連続するような印象を与えることができ、水平方向のズレをより目立ちにくくすることができる。
【００３７】
スジ状線４の長さは均一であってもよいが、ランダムに長さが設けられることで絵柄２のズレをより目立ちにくくすることができる。また、それぞれのスジ状線４の太さは均一であってもよいが、ランダムな太さであることが好ましい。太さをランダムにすることで、絵柄２のズレをより目立たなくすることができる。
【００３８】
スジ状線４及び間引き線４ａの太さ及び長さとしては、例えば、絵柄２の縦方向の長さが６００〜８００ｍｍ程度で輪郭線３の太さが２〜６ｍｍ程度の場合、スジ状線４及び間引き線４ａの長さを０．２〜６ｍｍ程度、スジ状線４及び間引き線４ａの太さを０．１〜６ｍｍ程度にすることができる。
【００３９】
スジ状線４の配置としては、輪郭線３を波形状に形成しない場合の輪郭線３の領域に描かれるスジ状線４の量が、輪郭線３を波形状に形成しない場合の輪郭線３以外の領域に描かれるスジ状線４の量よりも多くなるように配置することが好ましい。一方、間引き線４ａの配置としては、輪郭線３を波形状に形成しない場合の輪郭線３の領域に描かれる間引き線４ａの量が、輪郭線３を波形状に形成しない場合の輪郭線３以外の領域に描かれる間引き線４ａの量よりも少なくなるように配置することが好ましい。このようにスジ状線４及び間引き線４ａを配置すると、輪郭線３の中心により多くスジ状線４を描くことができ、あるいは、輪郭線３の端縁をより多く間引くことができ、輪郭線３の中心の視認性を高め、絵柄２の輪郭が曖昧になりすぎることを抑制することができる。
【００４０】
図１の形態では、外壁材１を間近で見ると輪郭線３がギザギザ状に乱れて見えるものの、このギザギザ状の波形により、遠くでは絵柄２の輪郭線３が繋がって見え、絵柄２のズレが目立ちにくい。そして、外壁を形成した際にはこの輪郭線３を間近で見るようなことは少なく、遠くから外壁を見ると絵柄２を明瞭に視認することができるものである。そして、絵柄２が跨る隣接線Ｌ付近において水平方向に振幅する波形を形成し、輪郭線３の端縁をギザギザ状にすることにより、ズレ精度誤差の大きい水平方向で波形が形成されることによって、さらに、近目では複数の外壁材１を取り付けたときの絵柄２のズレが気になりにくく、遠目ではギザギザが吸収されて絵柄２を明確に認識することができるものである。
【００４１】
図２に、外壁材１によって形成した外壁の他の一例を示す。図２では、外壁材１が二枚横に並べられて外壁の一部が形成されている。
【００４２】
図２の形態においても、絵柄２の輪郭が波形状に形成されている。すなわち、輪郭線３の端縁が絵柄２の外側と内側に向かって細かくランダムに出入しており、輪郭線３が細かいギザギザ状又はガタガタ状になっている。この波形状の輪郭は、隣り合う外壁材１の境界（隣接線Ｌ近傍）において少なくとも設けられるが、より自然な絵柄２にするために、好ましくは絵柄２の輪郭全体に設けられる。
【００４３】
図２（ｂ）は、領域Ｓに表された星２１を拡大した図である。図２（ｂ）に示すように、このような波形は、方向の揃ったランダムな長さの直線（スジ状線４）をランダムに複数配置して輪郭線３を描くことにより形成することができ、また、輪郭線３から、方向の揃ったランダムな長さの間引き線４ａをランダムに複数配置することによって形成することができる。スジ状線４の長さ、太さ、配置は、図１の形態と同様にすることができる。
【００４４】
そして、図２の形態にあっては絵柄２が横に並設した外壁材１を跨って設けられており、隣接線Ｌが縦方向（垂直方向）になっている。この隣接線Ｌと平行にスジ状線４と間引き線４ａとが設けられている。
【００４５】
四辺合抉や縦目地シーリングなどの横方向に外壁材１を重ね合わせ接合させて外壁を形成する場合、左右の外壁材１同士が上下にずれて絵柄にズレが発生する場合がある。図２の形態においては、垂直方向にスジ状線４及び間引き線４ａが設けられているので、特にそのような外壁材１の取付構造において、輪郭線３のズレや不連続を吸収して絵柄２のズレを目立たなくさせることができるものである。
【００４６】
図１又は図２の形態においては、線図ではなく、スジ状線４で塗り潰した絵柄２にすることも好ましい。すなわち、スジ状線４を絵柄２の全体（内部を含む全体領域）に多数配置して塗り潰すようにして絵柄２を構成すると、絵柄２自体がスジ状線４の集合となって、外壁材１がズレて取り付けられた場合でも、絵柄２の輪郭に配置されたスジ状線４がそのズレを吸収して、絵柄２のズレを目立たなくさせることができるものである。
【００４７】
また、図１又は図２の形態においては、線図ではなく、絵柄２の内部、すなわち輪郭線３で囲まれた内部を、全体に塗り潰した絵柄２にすることも好ましい。この場合も、絵柄２の輪郭がスジ状線４の集合となって、外壁材１がズレて取り付けられた場合でも、絵柄２の輪郭に配置されたスジ状線４がそのズレを吸収して、絵柄２のズレを目立たなくさせることができるものである。
【００４８】
ところで、図１又は図２の形態において、色ではなく凹凸により絵柄２を設ける場合、表面で突出する凸状のスジ状線４にしたり、表面で凹む溝状のスジ状線４にしたりして、絵柄２や輪郭線３を設けることができる。
【００４９】
図３及び図４により、分断部７を設けた外壁材１によって形成した外壁の一例を説明する。図３（ａ）（ｂ）及び図４（ａ）では、外壁材１が二枚縦に並べられて外壁の一部が形成され、図４（ｂ）では、外壁材１が二枚横に並べられて外壁の一部が形成されている。
【００５０】
図３（ａ）に示すように、この形態では、絵柄２に、絵柄２を分断する直線状の分断部７が複数設けられている。具体的には、輪郭線３が、平行に複数並んだ直線状の分断部７によって所定間隔ごとに直線状に分断され、輪郭線３が波線状になっている。そして、この分断部７には絵柄２が設けられていない。
【００５１】
分断部７は、外壁を形成したときに露出する外壁材１の端縁（隣接線Ｌ）と平行な直線として、外壁材１の垂直方向に複数本配列されている。すなわち、分断部７は絵柄２の色を間引く間引き線として機能する。分断部７は、上下の外壁材１に絵柄２が跨る場合、水平方向に設けることが好ましい。分断部７を設けることにより、輪郭線３を所定間隔ごとに分断し、上下の外壁材１がずれた場合でも絵柄２のズレを目立たなくすることができる。
【００５２】
また、分断部７は、外壁材１の露出する端縁である隣接線Ｌに沿って、上側の外壁材１の下端部の端縁及び下側の外壁材１の上端部の露出する領域の、一方又は両方に設けられていることが好ましい。それにより、絵柄２を全体的にブラウンドな状態（ブラインドを通して絵柄２を視認するような状態）にして、ズレをより一層目立たなくさせることができる。
【００５３】
分断部７の直線の太さ（幅）としては、輪郭線３よりも細いことが好ましく、例えば、絵柄２の輪郭線３が２〜６ｍｍの場合に、０．１〜１ｍｍ程度に設定したりすることができる。特に、隣接線Ｌに沿って上下の外壁材１の両方に分断部７を設け、この上下の外壁材１に跨る分断部７の全体幅を０．２〜３ｍｍ程度に設定すると、外壁材１の露出する端部に、分断部７が隣接線Ｌに沿って設けられて、絵柄２のズレをより目立ちにくくすることができる。なお、分断部７の直線の太さが太くなりすぎると、水平方向に描かれた輪郭線３を消してしまうおそれがあるので好ましくない。複数の分断部７のそれぞれの太さは同じであってもよく、異なっていてもよい。また、隣り合う分断部７の間隔は同じであってもよく（同ピッチ）、異なっていてもよい。ピッチは５〜１００ｍｍ程度に設定することができる。分断部７の太さやピッチがランダムな方が一層自然な風合いを出すことができる。
【００５４】
分断部７は、直線で形成することができるが、連続した直線でなくてもよく、破線、点線であってもよい。破線、点線のように不連続な直線の場合、絵柄２を間引く量を少なくして、絵柄２及び輪郭線３が不自然に分断するような印象を和らげることができる。
【００５５】
図３（ａ）の形態では、分断部７は、絵柄２を設けていない領域の外壁材１の色であるベース色と同じか又はほぼ等しい色になっており、ベース色部７ａとして設けられている。ベース色部７ａは、外壁材１の水平方向（絵柄２が跨る方向と垂直な方向）に亘って設けられてもよいし、個々の輪郭線３ごとにその両端を横切るように設けられてもよい。分断部７をベース色で構成することにより、簡単に輪郭線３を間引くことができ、また絵柄２を自然に見せることができるものである。
【００５６】
ベース色部７ａを設けるには、絵柄２を印刷する際にこの部分を印刷しないようにして設けてもよいし、外壁材１のベース色と同じ色を印刷するようにしてもよい。
【００５７】
図３（ｂ）の形態では、分断部７は、輪郭線３の色ともベース色の色とも異なる他の色により構成されている。すなわち、分断部７は任意の色であってよく、この場合も、絵柄２のズレを目立たなくさせることができる。この形態の場合、分断部７が絵柄２に縞模様７ｂで重なることになる。なお、分断部７は、輪郭線３の色と同一又はほぼ等しい色であってもよいが、絵柄２を明瞭にするためには異なる色であることが好ましい。
【００５８】
図４（ａ）の形態においては、線図ではなく、絵柄２の内部、すなわち輪郭線３で囲まれた内部を、全体に塗り潰した絵柄２にしている。この場合も、絵柄２が分断部７によって、所定間隔で分断されたり縞模様が形成されたりして、外壁材１がズレて取り付けられた場合でも、絵柄２を横切って複数本で設けられた直線状の分断部７がそのズレを吸収して、絵柄２のズレを目立たなくさせることができるものである。
【００５９】
図４（ｂ）は、横方向に絵柄２が跨った形態を示している。絵柄２が横方向に跨り、垂直方向（縦方向）に絵柄２がずれるおそれがある場合は、縦方向に分断部７（ベース色部７ａ又は縞模様７ｂ）を設けることで、輪郭線３がベース色や縞模様７ｂにより分断され、絵柄２のズレを目立ちにくくすることができるものである。
【００６０】
図３及び図４の形態にあっては、近目では、分断部７が絵柄２や輪郭線３を分断しているために、絵柄２のズレが目立ちにくくなる。特に、隣接線Ｌの片側又は両側に分断部７が設けられた場合は、外壁材１にズレがないときでも輪郭線３が繋がらないのが普通の状態なので、外壁材１がずれて取り付けられたとしても絵柄２のズレが一層目立ちにくくなる。そして、複数の外壁材１を取り付け、遠目で外壁を見た場合、分断部７の色がベース色に吸収されたり分断部７がシルエット状の縞模様を形成したりして、絵柄２を明瞭に認識することができる。したがって、絵柄２のズレを目立ちにくくするものである。
【００６１】
ところで、図３又は図４の各形態において、色ではなく凹凸により絵柄２を設ける場合、表面に凹凸のない直線として分断部７を設けることができる。この場合、分断部７の表面は外壁材１のベース部と面一であることが好ましいが、ベース部より突出して凸状の直線にしたり、ベース部より凹んで溝状の直線にしたりしてもよい。
【００６２】
図５に、外壁材１によって形成した外壁の他の一例を示す。図５では、外壁材１が二枚縦に並べられて外壁の一部が形成されている。
【００６３】
図５（ｂ）に示すように、この形態では、絵柄２の輪郭が、ドットである点５の集まりで形成されている。すなわち、輪郭線３を点５の密集により描いている。それにより、図１２の形態と同程度に外壁材１がずれている場合であっても、外壁材１の隣接線Ｌにおいて、輪郭線３が途切れたりずれたりするような印象を与えることがなく、絵柄２のズレを目立たなくさせることができる。この点５で形成される輪郭は、隣り合う外壁材１の境界（隣接線Ｌ近傍）において少なくとも設けられるが、より自然な絵柄２にするために、好ましくは絵柄２の輪郭全体に設けられる。
【００６４】
点５は、例えば、円状、正方形状、矩形状、多角形状などの点５で構成することができ、その径（縦方向及び横方向の長さ、円の場合は直径、矩形の場合は一辺）を０．１〜４ｍｍにすることができる。また、点５の密度を１〜９０個／ｃｍ２程度にして、点５を配置することができる。点５の大きさは、均一でもよいが、ランダムであることが好ましい。また、点５は均一に配置されてもよいが、不均一にランダムに配置されていることが好ましい。点５を不均一な大きさでランダムに配置し、部分的に白抜け（ベース色を露出）させて輪郭線３を形成することで、絵柄２のズレをより一層目立たなくさせることができる。
【００６５】
図５（ｃ）により、点５の配置設定の一例を示す。まず、点５を、点５で輪郭線３を形成しない場合の輪郭線３の領域に密集させて配置する。このとき、点５が重なる場合に外壁材１のベース色が露出する（白抜けする）ように印刷設定する（図の矢印Ｐ）。そして、輪郭線３の端縁を直線でなくジグザク状で不連続な線として構成する（図の矢印Ｑ）。このように、塗装印刷時に点５の配置を設定することにより、輪郭線３を点５で描くことができる。
【００６６】
図５の形態にあっては、近目では、点５の密集によって輪郭線３をくずれさせているために、絵柄２の境界が曖昧となり、絵柄２のズレが目立ちにくくなる。そして、複数の外壁材１を取り付け、遠目で外壁を見た場合、絵柄２の境界の曖昧さが吸収されて、絵柄２を明瞭に認識することができる。したがって、絵柄２のズレを目立ちにくくするものである。
【００６７】
また、図５の形態においては、線図ではなく、点５で塗り潰した絵柄２にすることも好ましい。すなわち、点５を塗り潰しの全体に配置して絵柄２を構成すると、絵柄２自体が点５の集合となって、外壁材１がズレて取り付けられた場合でも、絵柄２の輪郭に配置されたドット状の複数の点５がそのズレを吸収して、絵柄２のズレを目立たなくさせることができるものである。
【００６８】
また、図５の形態においては、線図ではなく、絵柄２の内部、すなわち輪郭線３で囲まれた内部を、全体に塗り潰した絵柄２にすることも好ましい。この場合も、絵柄２の輪郭が点５の集合となって、外壁材１がズレて取り付けられた場合でも、絵柄２の輪郭に配置されたスジ状線４がそのズレを吸収して、絵柄２のズレを目立たなくさせることができるものである。
【００６９】
図６に、外壁材１によって形成した外壁の他の一例を示す。図６では、外壁材１が二枚縦に並べられて外壁の一部が形成されている。
【００７０】
図６（ｂ）に示すように、この形態では、絵柄２の輪郭が徐々にベース色に近くなるように形成されている。すなわち、グラデーションによって輪郭がぼかされ、絵柄２の境界と外壁材１のベース色との境界が曖昧になっている。それにより、図１２の形態と同程度に外壁材１がずれている場合であっても、外壁材１の隣接線Ｌにおいて、輪郭線３が途切れたりずれたりするような印象を与えることがなく、絵柄２のズレを目立たなくさせることができるものである。このグラデーションがかかった輪郭は、隣り合う外壁材１の境界（隣接線Ｌ近傍）において少なくとも設けられるが、より自然な絵柄２にするために、好ましくは絵柄２の輪郭全体に設けられる。
【００７１】
このようなグラデーションは、輪郭線３の中央部６ａを絵柄２の輪郭線３として最小限必要な太さで実線で構成し、この輪郭線３の中央部６ａを中心に徐々に色合いがベース色になるグラデーション部６を設けることにより形成できる。図６の形態では、輪郭線３の両側にグラデーション部６を設けている。このグラデーション部６は、輪郭線３の片側（絵柄２の外側又は内側）に設けてもよいが、両側に設ける方が好ましい。グラデーション部６としては、輪郭線３の中心から離れるに従って徐々に色合いが薄くなりベース色に近づくようにして設けてもよく、輪郭線３と同一色の点の集まりで形成し、この点の密度を徐々に小さくするようにして設けてもよい。
【００７２】
グラデーション部６の幅は、輪郭線３の中央部６ａ（グラデーションがかけられていない部分）の幅に対して半分から同じ幅程度であることが好ましい。グラデーション部６の幅が過剰に大きすぎると外壁を形成した際に絵柄２を明瞭に視認することができなくなるおそれがある。輪郭線３の両側にグラデーション部６を設ける場合は、輪郭線３の中央部６ａの１／４以上から同じ幅程度の幅でグラデーション部６を輪郭線３の両側に設けてもよい。例えば、輪郭線３の中央部６ａの太さが２〜６ｍｍである場合、グラデーション部６を２〜６ｍｍ程度にすることができ、この場合、間近で見ると輪郭線３があたかも４〜１２ｍｍになるように見え、外壁材１がずれても輪郭線３の一部が繋がって見えるため、絵柄２のズレを目立たなくすることができる。グラデーション部６は絵柄２の輪郭全体に亘って設けることができる。
【００７３】
図６（ｄ）及び（ｅ）により、グラデーションの幅を説明する。図６（ｄ）は、グラデーション部６を設けた場合の輪郭線３の幅を説明する図であり、図６（ｅ）は、グラデーション部６を設けていない場合の輪郭線３の幅を説明する図である。図６（ｅ）で示すように、グラデーション部６が設けられていない場合、輪郭線３は幅Ｍで形成されているが、図６（ｄ）では、前記輪郭線３と同じ幅Ｍで輪郭線３の中央部６ａが形成され、その中央部６ａの両側に幅Ｍの略半分の幅程度の幅Ｇでグラデーション部６が設けられている。この図のように、輪郭線３の両側に輪郭線３の中央部６ａの略半分程度の幅でグラデーション部６を設けると、輪郭線３の幅が広くなり、外壁材１の隣接線Ｌでの絵柄２のズレを目立たなくさせることができるものである。
【００７４】
図６（ｃ）により、輪郭線３の両側にグラデーション部６を設けた場合に、外壁材１の隣接線Ｌにおける絵柄２のズレが目立ちにくくなる様子を説明する。この図に示すように、輪郭線３の中心位置（幅方向に略半分の位置）が外壁材１間で繋がっていなくても、一方の外壁材１のグラデーション部６が他方の外壁材１の輪郭線３の中央部６ａ又はグラデーション部６に繋がることによって、輪郭線３が繋がっているように見え、絵柄２のズレを目立たなくさせることができる。
【００７５】
図６の形態にあっては、近目では、グラデーションにより色を徐々にベース色に近づけているために、絵柄２の境界が曖昧となり、絵柄２のズレが目立ちにくくなる。そして、複数の外壁材１を取り付け、遠目で外壁を見た場合、絵柄２の境界の曖昧さが吸収されて、絵柄２を明瞭に認識することができる。したがって、絵柄２のズレを目立ちにくくするものである。
【００７６】
また、この形態においては、線図ではなく、塗り潰しの絵柄２にすることも好ましい。すなわち、塗り潰しの絵柄２の輪郭をグラデーションにすると、絵柄２の外縁にグラデーションがかかって、外壁材１がズレて取り付けられた場合でも、絵柄２の輪郭のグラデーション部６がそのズレを吸収して、絵柄２のズレを目立たなくさせることができるものである。塗り潰しの絵柄２の場合、グラデーション部６の幅を２〜６ｍｍ程度にすることができる。
【００７７】
ところで、図６の形態において、色ではなく凹凸により絵柄２を設ける場合、グラデーション部６をベース部に近くなるにしたがって凹凸が徐々に小さくなるようにして設けることができる。
【００７８】
図７（ａ）に、外壁材１の上下の取付構造の一例を示す。この図では、外壁材１を縦に重ね合わせて外壁を形成している様子を示している。このような構造は、図１〜図６の外壁材１の取付構造に採用することができる。なお、横方向に外壁材１を重ね合わせて外壁を形成する場合、縦方向と横方向とを入れ替えて以下の説明を理解すればよい。
【００７９】
外壁材１は、上端部に上側の外壁材１を受ける受け部３０が形成され、下端部に下側の外壁材１に外壁の表面側から重ねる押え部４０が形成されている。
【００８０】
受け部３０には、外壁材１の裏面側で上方（縦方向）に突出し、表面が押え部４０の裏面と重ね合わせられる受け重ね部３１が設けられている。また、受け部３０には、外壁を形成したときに、その外表面として内側で奥まって露出する目地底３２が設けられている。この目地底３２は、外壁材１の表面１０と略平行な平坦面として長手方向に亘って形成されている。目地底３２と外壁材１の表面１０との間には、外壁材１の表面１０の上端縁から内側に傾斜して上方に延伸した上傾斜面３３が、平坦な面として長手方向に亘って設けられている。
【００８１】
また、押え部４０は、外壁材１の表面側において下方（縦方向）に突出し、裏面を受け重ね部３１に重ねる押え重ね部４１が設けられている。押え重ね部４１の先端は、外壁材１の表面側が徐々に内側にへこんで先細りしたテーパ状に形成され、外壁材１の表面１０の下端縁から内側に傾斜して下方に延伸した下傾斜面４２が、平坦な面として長手方向に亘って設けられている。
【００８２】
図１〜図６のような外壁材１にあっては、絵柄２が外壁材１を跨って設けられているので、絵柄２を合わせるようにして隣り合う外壁材１を取り付けるようにすれば、絵柄２のズレをなるべく目立たないようにすることが可能ではある。しかしながら、絵柄２を確認しながら外壁材１を取り付けると、作業に手間がかかり、生産性が悪くなるおそれがある。また、上記の絵柄２の輪郭をぼかす作用によって輪郭が曖昧になり、絵柄２を合わせて外壁材１を取り付けることが難しくなるおそれがある。
【００８３】
そこで、図７（ｂ）、図８（ａ）及び（ｂ）、図９の形態では、位置合せマーク５０を外壁材１に設けている。位置合せマーク５０を目印にして外壁材１を位置合わせすることにより、施工時の取り付け精度による外壁材１のズレを抑えることができ、絵柄２のズレをより一層低減させることができる。なお、図７及び図８では絵柄２及び輪郭線３を省略しているが、もちろん外壁材１には、図１〜６で示すような絵柄２が設けられている。また、図９では、輪郭線３の輪郭をぼかす処理の図示を省略しているが、もちろんこの輪郭線３は、図１〜６のような輪郭線３をぼかす処理が施されている。
【００８４】
位置合せマーク５０の形状としては、円、矩形、三角、線、帯、矢印などの適宜の表示マークを用いることができる。また、文字や模様によって構成してもよい。
【００８５】
位置合せマーク５０は、インクジェットやフレキソなどの印刷塗装により設けられてもよいし、プレスを用いた模様付けにより設けられてもよいし、加工工程での切削加工により設けられてもよい。
【００８６】
図７（ｂ）の形態では、外壁材１の目地底３２と下傾斜面４２とに対向する一対の三角形形状のマーク５０ａが設けられている。目地底３２に設けられた三角形は頂点を上方にし、下傾斜面４２に設けられた三角形は頂点を下方にしており、この三角形の頂点と頂点とを横方向に合わせることで、上下の外壁材１の横方向の位置合わせを行うことができるものである。この形態では、マークが三角形形状であるので、マークが視認しやすく、また位置合わせ精度を高くすることができる。
【００８７】
図８（ａ）の形態では、外壁材１の目地底３２と下傾斜面４２とに縦方向の直線としてマーク５０ｂが設けられている。そして、目地底３２の直線と下傾斜面４２との直線とが連続した直線になるように調整することにより、上下の外壁材１の横方向の位置合わせを行うことができるものである。この形態では、マークが直線状であるので、直線の端部を合わせるとともに直線が折れ曲がらないように調整することによって、外壁材１が傾いて取り付けられることを一層抑えることができ、位置合わせ精度を高くすることができる。
【００８８】
図８（ｂ）の形態では、外壁材１の目地底３２と、外壁材１の表面１０の下縁近傍とに円状のマーク５０ｃが設けられている。そして、目地底３２の円と外壁材１の下端部の円との横方向の位置を調整することにより、上下の外壁材１の横方向の位置合わせを行うことができるものである。この形態では、外部から確認しやすい外壁材１の表面と目地底３２とにマークが設けられているので、施工時に下傾斜面４２が見えにくくなってマークが認識しにくくなるようなことがなく、視認性がよく、位置合わせしやすく、施工性を向上することができる。
【００８９】
図９の形態では、絵柄２を構成する輪郭線３の内部に位置合せマーク５０を設けるようにしている。外壁材１の表面に絵柄２以外に、マークを設けると、外観上、違和感が生じるおそれがある。しかしながら、この形態にあっては、位置合せマーク５０が、輪郭線３の内部に潜んで設けられていることにより、違和感が生じることが低減されるものである。位置合せマーク５０は、輪郭線３の中に明瞭につけることが好ましい。例えば、輪郭線３の色よりも濃い色にしたり、輪郭線３とは色彩が異なる色にしたりして位置合せマーク５０を明瞭に設けることができる。そして、輪郭線３の略中央に設けられることが好ましい。このように、輪郭線３の境界が曖昧となった輪郭線３の内部に、明瞭にマークが設けられていることで、施工時には位置合わせをしやすくすることができるとともに、外壁を形成した際にはマークを目立ちにくくさせることができるものである。なお、図９では、図８（ａ）のような縦方向に伸びる直線状のマークを設けた例を示しているが、図７（ｂ）又は図８（ｂ）のようなマークであってもよく、またそれ以外のマークであってもよいのは言うまでもない。
【００９０】
図１〜図６のような外壁材１にあっては、絵柄２が外壁材１を跨って設けられているので、絵柄２が合うような配置順序で外壁材１を取り付ける必要がある。例えば、上下２枚の外壁材１を跨って絵柄２が設けられる場合は、上側の外壁材１と下側の外壁材１を取り違えないようにして取り付ける必要がある。しかしながら、施工者は絵柄２の全体像を認識していなかったり、絵柄２を完成するために個々の外壁材１を何枚用い、どのような配置順序にして取り付ければよいのか認識していなかったりする場合がある。また、施工現場において、絵柄２をその都度確認して、上側の外壁材１か下側の外壁材１かを判断しようとすると、施工に手間がかかってしまう。また、絵柄２が上下の外壁材１で似ているような場合は、上下の外壁材１を間違えて取り付けてしまうおそれがある。
【００９１】
そこで、図１０の形態では、配置表示５１を外壁材１に設けている。配置表示５１を目印にして外壁材１を取り付ける配置順序を合わせすることにより、施工時の取り付け作業の効率を向上することができ、また、外壁材１を間違えることなく取り付けて絵柄２を確実に外壁に設けることができる。なお、図１０では絵柄２及び輪郭線３を省略しているが、もちろん外壁材１には、図１〜６のような絵柄２が設けられている。
【００９２】
配置表示５１としては、カタナカ、ひらがな、漢字、アルファベットなどの文字、１、２、３といった算用数字や、Ｉ、ＩＩ、ＩＩＩといったローマ数字などの数字、上下を示す三角形（△▽）などの記号などを用いることができる。例えば、絵柄２が上下二枚の外壁材１を跨る場合は「ウエ」「シタ」という配置表示５１を用い、絵柄２が左右二枚の外壁材１を跨る場合「ミギ」「ヒダリ」という配置表示５１を用いることができる。また、上下二枚左右二枚の計四枚の外壁材１に跨って絵柄２が設けられた場合は、「ミギウエ」「ヒダリシタ」などの配置表示５１を用いることができる。同一方向に三枚以上の外壁材１に絵柄２が跨る場合は、１、２、３、・・・という数字を用いてもよいし、Ａ、Ｂ、Ｃ、・・・というアルファベットを用いてもよい。また、縦方向及び横方向の両方で複数枚の外壁材１に絵柄２が跨る場合は、例えば、縦をアルファベットで表し、横を数字で表し、Ａ１、Ａ２、・・・、Ｂ１、Ｂ２、・・・などのようにすることができる。このとき、施工する順番に合わせて文字や数字の順序が配列されていることが好ましい。例えば、数字が大きくなる順に外壁材１を取り付けるような配置であると、配置を間違えないで外壁材１を取り付けることができる。
【００９３】
配置表示５１は、インクジェットやフレキソなどの印刷塗装により設けられてもよいし、プレスを用いた模様付けにより設けられてもよいし、加工工程での切削加工により設けられてもよい。
【００９４】
図１０の形態では、外壁材１の目地底３２に配置表示５１が設けられている。この配置表示５１の設けられる位置は、特に限定されるものではないが、目地底３２にしたり、外壁材１の裏面（壁下地側の面）にしたりすることが好ましい。外壁材１の表面１０に配置表示５１を設けた場合、配置表示５１が目立ってしまい外壁の外観が悪くなるおそれがある。また、上傾斜面３１や下傾斜面３２に配置表示５１を設けた場合、施工時に施工者が見えにくくなるおそれがある。しかしながら、目地底３２に配置表示５１を設ければ、施工者が確認しやすくなるとともに、施工後に配置表示５１を目立たなくさせることができる。また、目地底３２に設けていれば、外壁を形成した後も、外壁材１を間近で見れば配置表示５１を視認することができるので、外壁材１の配置に間違いがないか確認することができる。一方、外壁材１の裏面に設けた場合、外壁の露出面に配置表示５１が全く現れないようにすることができ、外壁の外観を良好にすることができる。また、外壁材１の裏面側に大きく（例えば目地底３２の幅以上の大きさで）表示することが可能となり、配置表示５１を施工者が確認しやすくすることができる。
【００９５】
外壁材１に、配置表示５１と位置合せマーク５０とをともに設けるようにすることも好ましい。それにより、絵柄２をずれさせたり間違えたりすることなく簡単に外壁材１を取り付けることができ、施工性が向上するものである。
【符号の説明】
【００９６】
１      外壁材
２      絵柄
３      輪郭線
４      スジ状線
４ａ    間引き線
５      点
６      グラデーション部
７      分断部
１０    表面
３０    受け部
３２    目地底
４０    押え部
４２    下傾斜面
５０    位置合せマーク
５１    配置表示
【図１】
0005603631.tif 000002
【図２】
0005603631.tif 000003
【図３】
0005603631.tif 000004
【図４】
0005603631.tif 000005
【図５】
0005603631.tif 000006
【図６】
0005603631.tif 000007
【図７】
0005603631.tif 000008
【図８】
0005603631.tif 000009
【図９】
0005603631.tif 000010
【図１０】
0005603631.tif 000011
【図１１】
0005603631.tif 000012
【図１２】
0005603631.tif 000013